(57)【要約】【課題】無線機能付きメモリモジュールを含む装置において、無線機能付きメモリモジュールの数の増加に対し、送受信装置の数の増加を抑制することである。【解決手段】複写機１０は、複数の部品にそれぞれ無線タグａ（４０）等が付され、無線タグａ（４０）等は、制御部２０に有線接続されるＸ送受信端末３０、Ｙ送受信端末３２、Ｚ送受信端末３４と無線交信する。各送受信端末と各無線タグとの間の交信の応答時間に基づいて、各無線タグの識別データが予め得られる。制御部２０の識別モジュール２２は、各無線タグの識別データと、各送受信端末と各無線タグとの間の実際の応答とを比較し、各無線タグの間の識別と特定を行う。データ読出モジュール２４とデータ書込モジュール２６は、特定された無線タグとの間でデータの読み書きを行う。【選択図】図５
2006030250.tif 000002
【特許請求の範囲】
【請求項１】
複数の無線機能付メモリモジュールと、
無線機能付きメモリモジュールの数より少ない数の送受信端末と、
各送受信端末と各無線機能付メモリモジュールとの間の複数の交信に基づき、各無線機能付メモリモジュールを識別する識別手段と、
を備えることを特徴とする無線機能付メモリモジュールを含む装置。
【請求項２】
請求項１に記載の装置において、
送受信端末は、同一直線上にないように配置される３つの送受信端末であることを特徴とする無線機能付メモリモジュールを含む装置。
【請求項３】
請求項２に記載の装置において、
３つの送受信端末は、それぞれの送受信方向が互いに直交することを特徴とする無線機能付メモリモジュールを含む装置。
【請求項４】
請求項３に記載の装置において、
識別手段は、
第１の送受信端末から走査信号を送信し、各無線機能付メモリモジュールからの応答をそれぞれ受信し、それぞれの第１応答特性として取得する手段と、
第２の送受信端末から走査信号を送信し、各無線機能付メモリモジュールからの応答をそれぞれ受信し、それぞれの第２応答特性として取得する手段と、
第３の送受信端末から走査信号を送信し、各無線機能付メモリモジュールからの応答をそれぞれ受信し、それぞれの第３応答特性として取得する手段と、
各無線機能付きメモリモジュールからの第１応答特性と第２応答特性と第３応答特性とに基づき、各無線機能付きモジュールの特定を行う特定手段と、
を有することを特徴とする無線機能付メモリモジュールを含む装置。
【請求項５】
請求項１に記載の装置において、
識別手段により識別される特定の無線機能付メモリモジュールからデータを読み出すデータ制御部を備えることを特徴とする無線機能付メモリモジュールを含む装置。
【請求項６】
請求項５に記載の装置において、
データ制御部は、さらに、識別手段により識別される特定の無線機能付メモリモジュールにデータを書き込むことを特徴とする無線機能付メモリモジュールを含む装置。
【発明の詳細な説明】
【技術分野】
【０００１】
本発明は、無線機能付メモリモジュールを含む装置に係り、特に無線機能付きモジュールが付された多数の部品を含む装置に関する。
【背景技術】
【０００２】
電子写真画像形成プロセスを用いる複写機等においては、一様に帯電させた感光体ドラムに選択的な露光をして静電潜像を形成し、この静電潜像をトナーで顕像化するとともに、このトナー像を記録媒体に転写して画像記録を行う。そして複写作業を繰り返すうちに、トナー等を消耗し、あるいは感光体ドラム等に摩耗等が生ずるので、これらを交換する必要が生ずる。この交換を容易にするために、トナー部分や感光体ドラムをカートリッジ化し、あるいはその周辺の帯電装置、現像装置、クリーニング装置等も含めてプロセスカートリッジとすることが行われる。
【０００３】
カートリッジ化され、交換可能な消耗部品には、その消耗部品の履歴等をトレースするために、無線交信可能なメモリモジュールが取り付けられることがある。例えば、このメモリモジュールに、そのトナーカートリッジの仕様等を記憶させておけば、トナーカートリッジの交換の際に、複写機の仕様に合うものかどうかが判別でき、複写機の性能を保証できる。また、交換後に回収・リサイクルを行うときも、そのトナーカートリッジの仕様等が読み出せるので、正しく回収・リサイクルを行うことができる。
【０００４】
このような無線機能付きメモリモジュールとしては、アンテナと無線インタフェースと書き換え可能な半導体メモリ等を組合せた回路モジュールを用いることができる。例えば、アンテナ付きＲＦＩＤ（Ｒａｄｉｏ  Ｆｒｅｑｕｅｎｃｙ  Ｉｄｅｎｔｉｔｙ）チップ、あるいは非接触ＩＣチップ、あるいは無線タグ（ＴＡＧ）等と呼ばれるものを用いることができる。
【０００５】
特許文献１には、電子写真画像形成装置の本体が有する本体交信手段と非接触で交信を行うアンテナ部と、電子写真感光体を管理するための管理情報を記憶するとともに本体交信手段と交信するようアンテナ部を制御する制御部と、を備えた記憶素子を、電子写真感光体の端面に取り付けることが開示されている。
【０００６】
【特許文献１】特開２００１−１１７３０９号公報
【発明の開示】
【発明が解決しようとする課題】
【０００７】
無線機能付きメモリモジュールである無線タグをトナーカートリッジ等に取り付け、これを複写機の内部に設置し、複写機の本体制御部と無線タグとがデータのやり取りをするには、特許文献１に示されるように、この無線タグに対応するアンテナを有する送受信装置を複写機の内部に設ける必要がある。
【０００８】
従来、無線タグと、そのための送受信装置とは、１対１で設けられている。つまり、トナーカートリッジに１つの無線タグが取り付けられると、複写機内で、その無線タグと無線交信可能な範囲に、そのための送受信装置が１つ設けられ、その送受信装置と複写機の本体制御部とが信号線で接続される。カラー複写機で４色のトナーカートリッジを用いるときは、各トナーカートリッジにそれぞれ１つずつ無線タグが付けられ、これに対応して、４つの送受信装置がカラー複写機内に設けられる。このように、装置の部品に無線タグを付ければつけるほど、その装置内にそのための送受信装置の数が増大する。
【０００９】
無線タグは、メモリと、比較的簡単な送受信回路とからなり、例えば１チップＩＣで構成できる等、大きさもコストも比較的問題が少ない。これに対し、送受信装置は比較的大きなアンテナや、能力の高い発信装置を有するなど、大きさも大きめとなり、コストも比較的高めとなる。
【００１０】
このように、装置の部品に無線タグを多く設けるにつれて、送受信装置の数も増え、装置全体のコストが上昇する等の問題が生ずる。
【００１１】
本発明の目的は、無線機能付きメモリモジュールの数の増加に対し、そのための送受信装置の数の増加を抑制することができる無線機能付きメモリモジュールを含む装置を提供することである。
【課題を解決するための手段】
【００１２】
１．本発明の原理
本発明は、３つの送受信装置を用い、複数の無線タグに対し、それぞれの送受信装置に対するそれぞれの無線タグの応答を解析することで、４つ以上の無線タグを識別できる、という原理に基づくものである。その様子を、図１から図４を用いて説明する。
【００１３】
説明をわかりやすくするため、各送受信装置は、Ｘ軸、Ｙ軸、Ｚ軸のように、装置の内部で直交する３つの軸の上に設けられるものとし、それぞれをＸ送受信端末、Ｙ送受信端末、Ｚ送受信端末と呼ぶことにする。ここで、Ｘ送受信端末、Ｙ送受信端末、Ｚ送受信端末の送受信方向は相互に直交するように配置される。そして、４つの無線タグを、便宜上、無線タグａ，無線タグｂ，無線タグｃ，無線タグｄと呼ぶことにして、無線タグａと無線タグｂはＸ送受信端末から等距離にあり、無線タグｂと無線タグｄはＹ送受信端末から等距離にあり、無線タグａと無線タグｃはＺ送受信端末から等距離にあるものとする。図１から図３に、その配置状況を示す。
【００１４】
このような例では、無線タグａと無線タグｂとはＸ送受信端末のみでは区別できず、無線タグｂと無線タグｄとはＹ送受信端末のみでは区別できず、無線タグａと無線タグｃとはＺ送受信端末のみでは区別できない。しかし、以下に述べるように、３つの送受信端末を用いることにより、このような区別しにくい４つの無線タグを容易に区別できる。
【００１５】
そのために、まず、Ｘ送受信端末から、信号を発信し、それぞれの無線タグに対し走査し、それぞれの無線タグからの応答を受信する。そして、送信から受信までの応答時間を比較する。図１はその様子を示す図で、Ｘ送受信端末から発信された信号は、まず最も近い距離に配置されている無線タグａ、無線タグｂから応答が返され、ついでそれより遠くにある無線タグｃから応答が返され、さらに遅れてそれより遠く配置される無線タグｄから応答が返される。応答時間を比較すると、例えば、無線タグａと無線タグｂは１３ｍｓｅｃ、無線タグｃは１７ｍｓｅｃ、無線タグｄは２０ｍｓｅｃのように、差が現れる。しかし、無線タグａと無線タグｂとはＸ送受信端末のみでは区別できない。
【００１６】
つぎに、Ｙ送受信端末から、信号を発信し、それぞれの無線タグに対し走査し、それぞれの無線タグからの応答を受信する。そして、送信から受信までの応答時間を比較する。図２はその様子を示す図で、Ｙ送受信端末から発信された信号は、まず最も近い距離に配置されている無線タグｂ、無線タグｄから応答が返され、ついでそれより遠くにある無線タグｃから応答が返され、さらに遅れてそれより遠く配置される無線タグａから応答が返される。応答時間を比較すると、例えば、無線タグｂと無線タグｄは１７ｍｓｅｃ、無線タグｃは３０ｍｓｅｃ、無線タグａは３７ｍｓｅｃのように、差が現れる。しかし、無線タグｂと無線タグｄとはＹ送受信端末のみでは区別できない。
【００１７】
そして、Ｚ受信端末から、信号を発信し、それぞれの無線タグに対し走査し、それぞれの無線タグからの応答を受信する。そして、送信から受信までの応答時間を比較する。図３はその様子を示す図で、Ｚ送受信端末から発信された信号は、まず最も近い距離に配置されている無線タグａ、無線タグｃから応答が返され、ついでそれより遠くにある無線タグｄから応答が返され、さらに遅れてそれより遠く配置される無線タグｂから応答が返される。応答時間を比較すると、例えば、無線タグａと無線タグｃは２０ｍｓｅｃ、無線タグｄは３５ｍｓｅｃ、無線タグｂは４２ｍｓｅｃのように、差が現れる。しかし、無線タグａと無線タグｃとはＺ送受信端末のみでは区別できない。
【００１８】
図４は、各送受信端末からの走査に対応する各無線タグの応答時間をまとめたものである。この結果から、各無線タグの間では、（Ｘ送受信端末と間の応答時間、Ｙ送受信端末と間の応答時間、Ｚ送受信端末と間の応答時間）をセットにしたデータが相違することがわかる。つまり、３次元空間で位置が異なる限り、（Ｘ送受信端末と間の応答時間、Ｙ送受信端末と間の応答時間、Ｚ送受信端末と間の応答時間）のデータは必ず異なるものとなる。したがって、各無線タグにとって、（Ｘ送受信端末と間の応答時間、Ｙ送受信端末と間の応答時間、Ｚ送受信端末と間の応答時間）のデータは、その識別データとなるものである。
【００１９】
上記では、お互いに直交する関係におかれる３つの送受信端末を用いて、任意の位置に配置される４つの無線タグの識別ができることを説明したが、３次元空間の位置が異なれば（Ｘ送受信端末と間の応答時間、Ｙ送受信端末と間の応答時間、Ｚ送受信端末と間の応答時間）のデータは必ず相違するので、４個以上の数の無線タグの識別も同様にしてできる。
【００２０】
また、複数の無線タグの位置が何らかの関係を有しているときは、２つ又は１つの送受信装置で複数の無線タグを識別することも可能である。図１の例で説明すると、Ｘ送受信端末のみでは無線タグａと無線タグｂとは区別できないが、これらと、無線タグｃと無線タグｄとの相違は区別できるので、無線タグａと無線タグｂとを区別するだけならあと１つ送受信端末を増やせばよい。つまり、図４のデータからわかるように、（Ｘ送受信端末と間の応答時間、Ｙ送受信端末と間の応答時間）のセット、（Ｘ送受信端末と間の応答時間、Ｚ送受信端末と間の応答時間）のセットによって、無線タグａと無線タグｂとを区別し、結果として４つの無線タグを区別することができる。また、仮に、Ｘ送受信端末から、各無線タグの距離が相互に異なるように配置されれば、単にＸ送受信端末１つですべての無線タグを識別することができる。
【００２１】
このようにして、各送受信端末と各無線タグとの間の交信に基づいて、一般的には、お互いに直交する関係におかれる３つの送受信端末を用いて、任意の位置に配置される４つ以上の無線タグの識別ができ、特殊な配置関係をとることで、２つまたは１つの送受信端末によって複数の無線タグを識別できる。この識別を用いて送受信しているあるいは送受信したい無線タグを特定し、データの読み書きを行うことができる。
【００２２】
２．課題解決手段
本発明に係る無線機能付メモリモジュールを含む装置は、複数の無線機能付メモリモジュールと、無線機能付きメモリモジュールの数より少ない数の送受信端末と、各送受信端末と各無線機能付メモリモジュールとの間の複数の交信に基づき、各無線機能付メモリモジュールを識別する識別手段と、を備えることを特徴とする。
【００２３】
また、送受信端末は、同一直線上にないように配置される３つの送受信端末であることが好ましい。また、３つの送受信端末は、それぞれの送受信方向が互いに直交することが好ましい。
【００２４】
また、識別手段は、第１の送受信端末から走査信号を送信し、各無線機能付メモリモジュールからの応答をそれぞれ受信し、それぞれの第１応答特性として取得する手段と、第２の送受信端末から走査信号を送信し、各無線機能付メモリモジュールからの応答をそれぞれ受信し、それぞれの第２応答特性として取得する手段と、第３の送受信端末から走査信号を送信し、各無線機能付メモリモジュールからの応答をそれぞれ受信し、それぞれの第３応答特性として取得する手段と、無線機能付きメモリモジュールからの第１応答特性と第２応答特性と第３応答特性とに基づき、各無線機能付きモジュールの特定を行う特定手段と、を有することが好ましい。
【００２５】
また、本発明に係る無線機能付メモリモジュールを含む装置において、識別手段により識別される特定の無線機能付メモリモジュールからデータを読み出すデータ制御部を備えることが好ましい。また、データ制御部は、さらに、識別手段により識別される特定の無線機能付メモリモジュールにデータを書き込むことが好ましい。
【発明の効果】
【００２６】
上記のように、本発明に係る無線機能付メモリモジュールを含む装置によれば、無線機能付きメモリモジュールの数が増加しても、そのための送受信装置の数の増加を抑制することができる。
【発明を実施するための最良の形態】
【００２７】
以下に図面を用いて本発明に係る実施の形態に付き詳細に説明する。以下において、本発明に係る無線機能付きメモリモジュールを含む装置として、トナーカートリッジ及び感光体ドラムにそれぞれ無線機能付きメモリモジュールが付されるカラー複写機を説明するが、複数の部品にそれぞれ無線機能付きメモリモジュールが付されるものであれば、他の構成のカラー複写機でもよく、単色の複写機でもよい。また、複写機以外のファクシミリ、プリンタ等の画像処理装置あるいは、交換部品を管理する必要のある他の装置であってもよい。また、無線機能付きメモリモジュールが付される部品は、カートリッジのような消耗部品に限られず、回路基板等のように仕様や履歴管理を行うことが有用な部品であってもよい。
【００２８】
また、以下では、無線機能付きメモリモジュールとして無線タグを用いる場合について説明する。市場において無線タグと呼ばれるものは様々なものがあるが、以下において無線タグの語は、アンテナと無線インタフェースと電気的に書き換え可能なメモリデバイスを含み、外部と無線交信により、メモリデバイスのデータを読み書きできるものを広くさすものとする。
【００２９】
図５は、無線タグを付された部品を含む複写機１０のブロック図である。複写機１０は、電子写真画像形成プロセスを用いるもので、一様に帯電させた感光体ドラムに選択的な露光をして静電潜像を形成し、この静電潜像をトナーで顕像化するとともに、このトナー像を記録媒体に転写して画像記録を行うものであるが、画像形成に係る要素の図示は省略してある。複写機１０は制御部２０を備え、制御部２０は、３つの送受信端末と有線接続される。３つの送受信端末は、送受信方向が互いに直交するように複写機１０の内部に配置されるＸ送受信端末３０、Ｙ送受信端末３２、Ｚ送受信端末３４である。また、複写機１０は、複数の部品にそれぞれ無線タグが付されている。複数の無線タグは、それぞれ無線タグａ（４０）、無線タグｂ（４２）、無線タグｃ（４４）、無線タグｉ（５０）等であり、それぞれの無線タグは、３つの送受信端末であるＸ送受信端末３０、Ｙ送受信端末３２、Ｚ送受信端末３４と無線で交信が可能な範囲に配置されるものである。３つの送受信端末と無線で交信できる範囲であれば、無線タグの数はいくつであってもよい。Ｘ送受信端末３０、Ｙ送受信端末３２、Ｚ送受信端末３４と無線交信できない範囲にある無線タグについては、別の３つの送受信端末の無線交信範囲とするか、あるいは個別の送受信端末を設けるものとできる。
【００３０】
図６は、複写機１０の内部におけるＸ送受信端末３０、Ｙ送受信端末３２、Ｚ送受信端末３４と、各無線タグの配置関係を模式的に示す図である。無線タグは、５種類のトナーカートリッジと、４種類の感光体ドラムにそれぞれ１つずつ付される。すなわち、イエロートナーカートリッジに無線タグａ（４０）、マゼンタトナーカートリッジに無線タグｂ（４２）、シアントナーカートリッジに無線タグｃ（４４）、ブラック１トナーカートリッジに無線タグｇ（４８）、ブラック２トナーカートリッジに無線タグｈ（４９）がそれぞれ取り付けられ、同様に、イエロー感光体ドラム、マゼンタ感光体ドラム、シアン感光体ドラムにもそれぞれ無線タグが取り付けられ、ブラック感光体ドラムに無線タグｉ（５０）が取り付けられる。つまり合計９個の無線タグが複写機１０の内部に含まれる。ここで、図６は便宜上平面的に図示してあるが、この平面は図６に示す座標系でＸＹ平面であり、斜線を付したＺ送受信端末３４は、Ｘ送受信端末３０、Ｙ送受信端末３２とＺ軸の位置が異なっている。同様に、斜線を付した無線タグｇ（４８）、無線タグｈ（４９）、無線タグｉ（５０）は、ほかの無線タグａ（４０）等とＺ軸の位置が異なっている。
【００３１】
再び図５に戻り、制御部２０は、各無線タグの間の識別をし特定を行う処理を行う識別モジュール２２、識別された結果に基づき、特定の無線タグからデータを読み出す処理を行うデータ読出モジュール２４、特定の無線タグにデータを書き込むデータ書込モジュール２６とを含む。また、制御部２０は、各無線タグの識別データを、図示されていない適当なメモリに記憶し、識別モジュール２２の処理のときに読み出して用いる。各無線タグの識別データは、各無線タグの３つの送受信端末との間の応答時間のデータで、例えば図４に示すものである。
【００３２】
かかる制御部２０は、複写機１０の本体制御部の一部、具体的には本体制御部のＣＰＵの機能として構成することができる。また、これらの機能はソフトウエアによって実現することができ、具体的には対応する識別及びデータ送受信処理プログラムを実行することで実現できる。また、各機能の一部をハードウエアで実現するように構成してもよい。
【００３３】
かかる構成の複写機１０の作用、特に制御部２０の各機能の作用につき、図７の識別及びデータ送受信処理の手順のフローチャートを用いて説明する。
【００３４】
図７は、送信してきた無線タグを識別して特定し、その無線タグのデータを読み出す処理手順についてのものである。複写機１０が起動されると、Ｘ送受信端末３０、Ｙ送受信端末３２、Ｚ送受信端末３４は受信待ち受け状態となる。そこで、ある無線タグから送信が行われたとする。無線タグは９個あるので、どの無線タグからの送信かはわからない。いま、このアクセスを要求してきたものを無線タグαとする。
【００３５】
Ｘ送受信端末３０、Ｙ送受信端末３２、Ｚ送受信端末３４のいずれかが、この送信を受信する（Ｓ１０）と、識別モジュール２２は、Ｘ送受信端末３０にＸ送信を指示する（Ｓ１２）。Ｘ送信とは、図１で説明したような、Ｘ送受信端末３０から各無線タグに対し信号を発信し、それぞれの無線タグに対し走査し、それぞれの無線タグからの応答を受信することである。アクセスを要求してきたのが無線タグαだけとすれば、無線タグαから応答があり、これを第１応答特性として取得する（Ｓ１４）。第１応答特性とは、例えばＸ送受信端末３０に対する応答時間である。いま、各無線タグの識別データの一部が図４のようであるとして、第１応答特性を１３ｍｓｅｃとする。
【００３６】
つぎに、識別モジュール２２は、Ｙ送受信端末３２にＹ送信を指示する（Ｓ１６）。Ｙ送信とは、Ｙ送受信端末３２から各無線タグに対し信号を発信し、それぞれの無線タグに対し走査し、それぞれの無線タグからの応答を受信することである。そして無線タグαからの応答を第２応答特性として取得する（Ｓ１８）。第２応答特性とは、例えばＹ送受信端末３２に対する応答時間である。いま、第２応答特性を１７ｍｓｅｃとする。なお、図４は、９個ある無線タグのうち４つについての部分データであるので、まだ無線タグαが無線タグｂであるとは決めることができない。
【００３７】
つぎに、識別モジュール２２は、Ｚ送受信端末３４にＺ送信を指示する（Ｓ２０）。Ｚ送信とは、Ｚ送受信端末３４から各無線タグに対し信号を発信し、それぞれの無線タグに対し走査し、それぞれの無線タグからの応答を受信することである。そして無線タグαから応答を第３応答特性として取得する（Ｓ２２）。第３応答特性とは、例えばＺ送受信端末３４に対する応答時間である。いま、第３応答特性を４２ｍｓｅｃとする。
【００３８】
Ｘ送受信端末３０についての処理手順であるＳ１２，Ｓ１４と、Ｙ送受信端末３２についての処理手順であるＳ１６，Ｓ１８と、Ｚ送受信端末３４についての処理手順であるＳ２０，Ｓ２２とは、適宜その順序を交換してもよい。要は、順序はともあれ、第１応答特性、第２応答特性、第３応答特性のデータセットを取得すればよい。
【００３９】
ここで、制御部２０の図示されていないメモリから無線タグの識別データを読み出し、取得された（第１応答特性，第２応答特性，第３応答特性）のデータと照合する（Ｓ２４）。具体的には、図４のような識別データと、取得データとを比較する。そして一致するものがあれば、それをアクセスしてきた無線タグαと識別し特定する（Ｓ２６）。今の場合、無線タグｂの識別データと取得データとが一致するので、アクセス要求してきたのは無線タグｂ、すなわちマゼンタトナーカートリッジに付された無線タグｂであると特定できる。
【００４０】
アクセスしてきたのが無線タグｂであると特定されると、データ読出モジュール２４は、Ｘ送受信端末３０、Ｙ送受信端末３２、Ｚ送受信端末３４のいずれかに対し、無線タグｂとして、そのデータを読み出すデータ処理指示を与える（Ｓ２８）。好ましくは、応答時間の最も短い送受信端末を指定してデータ処理を行わせる。このようにすることで、最も近接した距離で交信ができ、通信の信頼性が向上するとともに、データ処理時間も短くなる。今の例では、Ｘ送受信端末３０にデータ読み出し指示を与える。そして、Ｘ送受信端末３０は無線交信により、無線タグｂからデータを読み出し、制御部２０のデータ読出モジュール２４を経由し、複写機１０の本体制御部にマゼンタトナーカートリッジに付された無線タグｂの読み出しデータとして転送し、以後の処理に用いる。
【００４１】
特定の無線タグにデータを書き込むのは、データ書込モジュール２６の機能を用いる。１つの方法はつぎのようなものである。例えば、無線タグａにデータを書き込みたいとすると、無線タグの識別データを参照し、無線タグａに対し最も応答の短い送受信端末を選び、その送受信端末に対し、無線タグに対しアクセスを指示する。図４の識別データに従えば、今の場合、Ｘ送受信端末３０がまず全部の無線タグに対し、アクセスを行う。そして、その応答をＸ送受信端末３０とＹ送受信端末３２とＺ送受信端末３４とで監視し、図４等の識別データと比較し、応答が無線タグａであると識別されるときに限り、Ｘ送受信端末３０から書き込みデータを送信する。
【００４２】
このように、各送受信端末と各無線タグとの間の複数の交信に基づく無線タグ識別データを用い、各送受信端末から信号を発信し、それぞれの無線タグに対し走査し、その応答により、無線タグを識別し特定できる。無線タグが特定されれば、その無線タグに対しデータの読み出し又は書き込みを行い、以後の処理に用いることができる。
【図面の簡単な説明】
【００４３】
【図１】本発明に係る無線タグの識別原理を説明する図で、Ｘ送受信端末と各無線タグとの間の応答の様子を示す図である。
【図２】本発明に係る無線タグの識別原理を説明する図で、Ｙ送受信端末と各無線タグとの間の応答の様子を示す図である。
【図３】本発明に係る無線タグの識別原理を説明する図で、Ｚ送受信端末と各無線タグとの間の応答の様子を示す図である。
【図４】本発明に係る実施の形態における各無線タグの識別データの一例を示す図である。
【図５】本発明に係る実施の形態において、無線タグを付された部品を含む複写機のブロック図である。
【図６】本発明に係る実施の形態において、複写機の内部における各送受信端末と各無線タグの配置関係を模式的に示す図である。
【図７】本発明に係る実施の形態における、識別及びデータ送受信処理の手順のフローチャートである。
【符号の説明】
【００４４】
１０  複写機、２０  制御部、２２  識別モジュール、２４  データ読出モジュール、２６  データ書込モジュール、３０  Ｘ送受信端末、３２  Ｙ送受信端末、３４  Ｚ送受信端末、４０，４２，４４，４８，４９，５０  無線タグ。
【図１】
2006030250.tif 000003
【図２】
2006030250.tif 000004
【図３】
2006030250.tif 000005
【図４】
2006030250.tif 000006
【図５】
2006030250.tif 000007
【図６】
2006030250.tif 000008
【図７】
2006030250.tif 000009